【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
表示パネルの複数の水平ラインの各水平ラインの第１表示データのエラー検出を行うように構成されたエラー検出回路と、
前記第１表示データを受け取り、前記複数の水平ラインのうちの第１水平ラインについて前記第１表示データにデータエラーが検出されたとき、前記第１水平ラインについて第２表示データを出力するように構成された表示データ転送回路と
を備え、
前記第２表示データが、前記複数の水平ラインのうちの第２水平ラインの前記第１表示データに基づいている
表示ドライバ。
【請求項２】
更に、前記第２表示データに基づいて前記表示パネルを駆動するように構成された駆動回路部を備える
請求項１に記載の表示ドライバ。
【請求項３】
前記表示データ転送回路は、更に、前記第１水平ラインの前記第１表示データにデータエラーがないと単に判断されたとき、前記第１水平ラインについて前記第１表示データを出力するように構成された
請求項１又は２に記載の表示ドライバ。
【請求項４】
前記表示データ転送回路は、更に、前記第１水平ラインの前記第１表示データにデータエラーが検出されたとき、前記複数の水平ラインの第３水平ラインについて前記第１表示データを出力するように構成された
請求項１乃至３のいずれか１項に記載の表示ドライバ。
【請求項５】
前記表示データ転送回路は、前記第１水平ラインの前記第１表示データについてデータエラーが検出され、前記第３水平ラインの前記第１表示データについてデータエラーがないと判断された場合、前記第３水平ラインについて前記第１表示データを出力するように構成され、
前記第３水平ラインが前記第１水平ラインに隣接する水平ラインである
請求項４に記載の表示ドライバ。
【請求項６】
前記表示データ転送回路は、前記複数の水平ラインの前記第１表示データを格納し、格納した前記第１表示データに基づいて前記第１水平ラインについて前記第２表示データを出力するように構成されたメモリを備える
請求項１乃至５のいずれか１項に記載の表示ドライバ。
【請求項７】
前記エラー検出回路は、更に、前記エラー検出の結果を示すエラー情報を出力するように構成され、
前記表示データ転送回路は、
前記メモリに前記第１表示データが格納されている前記複数の水平ラインのそれぞれについて前記エラー情報を格納するように構成されたエラー情報保持レジスタと、
駆動回路部が前記表示パネルを駆動する動作に同期して表示アドレスを生成するように構成された表示アドレス発生器と、
前記エラー情報保持レジスタに格納されている前記エラー情報と前記表示アドレスとに基づいて前記メモリの読み出しアドレスを生成するように構成された読み出しアドレス演算回路と
を備え、
前記メモリは、前記読み出しアドレスから読み出した前記第１表示データを前記第２表示データとして出力するように構成された
請求項６に記載の表示ドライバ。
【請求項８】
前記エラー情報保持レジスタは、前記表示アドレスの上位ビットを受け取り、前記上位ビットに基づいて前記エラー情報のうちから選択された選択エラー情報を前記読み出しアドレス演算回路に供給し、
前記読み出しアドレス演算回路は、前記選択エラー情報に応答して前記読み出しアドレスを生成する
請求項７に記載の表示ドライバ。
【請求項９】
更に、前記第１表示データを前記表示ドライバの外部の外部装置から受け取るように構成されたインターフェースを備える
請求項１乃至８のいずれか１項に記載の表示ドライバ。
【請求項１０】
表示パネルと、
前記表示パネルを駆動する表示ドライバ
とを具備し、
前記表示ドライバが、
複数の水平ラインの各水平ラインの第１表示データについてエラー検出を行うように構成されたエラー検出回路と、
インターフェースから前記第１表示データを受け取り、前記複数の水平ラインの第１水平ラインの前記第１表示データにデータエラーが検出されたとき、前記複数の水平ラインの第２水平ラインの前記第１表示データに基づいて、前記第１水平ラインについて第２表示データを出力するように構成された表示データ転送回路と
を備える
表示装置。
【請求項１１】
前記表示ドライバが、更に、前記第２表示データに基づいて前記表示パネルを駆動するように構成された駆動回路部を備える
請求項１０に記載の表示装置。
【請求項１２】
前記表示データ転送回路は、更に、前記第１水平ラインの前記第１表示データについてデータエラーがないと単に判断されたとき、前記第１水平ラインについて前記第１表示データを出力するように構成された
請求項１０又は１１に記載の表示装置。
【請求項１３】
前記表示データ転送回路は、前記第１水平ラインの前記第１表示データにデータエラーが検出されたとき、前記複数の水平ラインの第３水平ラインについて前記第１表示データを出力するように構成された
請求項１０乃至１２のいずれか１項に記載の表示装置。
【請求項１４】
前記表示データ転送回路は、前記第１水平ラインの前記第１表示データについてデータエラーが検出され、第３水平ラインの前記第１表示データについてデータエラーがないと判断された場合、前記第３水平ラインについて前記第１表示データを出力するように構成され、
前記第３水平ラインが前記第１水平ラインに隣接するものである
請求項１０に記載の表示装置。
【請求項１５】
前記表示データ転送回路は、前記複数の水平ラインの前記第１表示データを格納し、格納した前記第１表示データに基づいて前記第１水平ラインについて前記第２表示データを出力するように構成されたメモリを備える
請求項１０に記載の表示装置。
【請求項１６】
前記エラー検出回路は、更に、前記エラー検出の結果を示すエラー情報を出力するように構成され、
前記表示データ転送回路は、
前記メモリに前記第１表示データが格納されている前記複数の水平ラインのそれぞれについて前記エラー情報を格納するように構成されたエラー情報保持レジスタと、
駆動回路部が前記表示パネルを駆動する動作に同期して表示アドレスを生成するように構成された表示アドレス発生器と、
前記エラー情報保持レジスタに格納されている前記エラー情報と前記表示アドレスとに基づいて前記メモリの読み出しアドレスを生成するように構成された読み出しアドレス演算回路と
を備え、
前記メモリは、前記読み出しアドレスから読み出した前記第１表示データを前記第２表示データとして出力するように構成された
請求項１５に記載の表示装置。
【請求項１７】
前記エラー情報保持レジスタは、前記表示アドレスの上位ビットを受け取り、前記上位ビットに基づいて前記エラー情報のうちから選択された選択エラー情報を前記読み出しアドレス演算回路に供給し、
前記読み出しアドレス演算回路は、前記選択エラー情報に応答して前記読み出しアドレスを生成する
請求項１６に記載の表示装置。
【請求項１８】
複数の水平ラインの各水平ラインの第１表示データについてエラー検出を行うことと、
前記複数の水平ラインの第１水平ラインの前記第１表示データがエラーデータを含むと判断されたとき、前記第１水平ラインについての前記エラー検出に基づいて、前記複数の水平ラインの第２水平ラインの第１表示データに基づいたものである第２表示データを出力することと、
前記第２表示データに応じて表示パネルを駆動することと
を含む
方法。
【請求項１９】
前記第２表示データを出力することが、更に、
前記第１水平ラインの前記第１表示データにデータエラーが存在しないと単に判断されたとき、前記第１水平ラインについて前記第１表示データを出力すること
を含む
請求項１８に記載の方法。
【請求項２０】
前記第２表示データを出力するステップが、更に、
前記第１水平ラインの前記第１表示データにデータエラーが検出されたとき、前記複数の水平ラインの第３水平ラインについて前記第１表示データを出力すること
を含む
請求項１８又は１９に記載の方法。